(57)【要約】【課題】審判端末として携帯型無線端末を利用する事により、任意に発生する試合経過事象を簡易に入力出来ると共に、瞬時に試合結果情報を提供できるようにする。【解決手段】サイトサーバ１と、このサイトサーバ１と接続できる主催端末２および会場端末３，４と、この会場端末３，４とそれぞれ無線接続できる審判端末５，６とを有するスポーツ試合開催支援システムとして、主催端末２は、開催する試合事前情報を登録し、会場端末３，４は、前記試合事前情報を受けて、前記審判端末５，６へ前記試合事前情報を送信し、審判端末５，６は、試合中に前記会場端末３，４に試合結果情報を送信し、試合結果を作成更新し、試合終了後に試合結果を前記サイトサーバ１に登録し、サイトサーバ１は、前記主催者端末２の入力に基づき、各会場端末３，４に試合情報を送信し、前記会場端末３，４より試合結果を受信し、前記主催端末２により、前記試合結果を集計する。【選択図】  図１
2007034478.tif 000002
【特許請求の範囲】
【請求項１】
スポーツ試合の試合経過情報を入力する審判端末と、この審判端末を接続し制御するサイトサーバとを有するスポーツ試合開催支援システムにおいて、
前記審判端末は、携帯型無線端末からなり、試合中の前記試合経過情報により試合結果情報を作成更新し前記サイトサーバに登録することを特徴とするスポーツ試合開催支援システム。
【請求項２】
スポーツ試合の試合事前情報を入力すると共に、サイトサーバに接続して制御する主催端末を有し、審判端末が前記試合事前情報を受けて登録する請求項１記載のスポーツ試合開催支援システム。
【請求項３】
主催端末は、サイトサーバにアクセスし、このサイトサーバに開催する試合事前情報を登録すると共に、前記サイトサーバからの試合結果情報を集計し、
審判端末は、前記サイトサーバから前記試合事前情報を受けて登録し、試合中にこの試合経過を入力し、この入力情報により試合結果情報を作成更新し、試合終了後に試合結果情報を前記サイトサーバに登録し、
前記サイトサーバは、前記主催者端末の入力に基づき、前記審判端末に試合事前情報を送信し、前記審判端末から前記試合結果情報を受信し、前記主催者端末に送信する請求項２記載のスポーツ試合開催支援システム。
【請求項４】
複数の審判端末を用いる場合に、前記各審判端末が前記各審判端末間通信を行う請求項１，２または３記載のスポーツ試合開催支援システム。
【請求項５】
複数の審判端末を用いる場合に、これら審判端末のうちの１台が、サイトサーバとの間の共通通信を行うと共に、他の審判端末との共通端末機能を有する請求項１，２，３または４記載のスポーツ試合開催支援システム。
【請求項６】
スポーツ試合の試合経過情報を入力し、サイトサーバと無線接続された携帯型端末からなり、前記サイトサーバに前記試合経過情報を伝送することを特徴とする審判端末。
【請求項７】
前記サイトサーバから試合事前情報を受けて登録し、試合中にこの試合経過情報を入力すると共に、この入力情報から試合結果情報を作成更新し、試合終了後に試合結果情報を前記サイトサーバに登録する請求項６記載の審判端末。
【請求項８】
前記無線接続が無線ＬＡＮ網または携帯電話網による請求項６または７記載の審判端末。
【請求項９】
開催するスポーツ試合の試合事前情報を入力する端末からなり、審判端末と接続したサイトサーバに接続され、前記サイトサーバに前記試合事前情報を登録することを特徴とする主催端末。
【請求項１０】
サイトサーバにアクセスし、前記試合事前情報を入力して登録し、この入力に基づき、各試合会場の端末に試合事前情報を送信し、かつ前記サイトサーバの試合結果情報を集計する請求項９記載の主催端末。
【請求項１１】
スポーツ試合の試合情報を転送し記憶するサーバからなり、主催端末および審判端末に接続され、これら端末間のデータ蓄積およびデータ伝送を行うことを特徴とするサイトサーバ。
【請求項１２】
データ伝送が、主催者端末からの入力に基づき、各審判端末に試合事前情報を送信し、前記審判端末より試合結果情報を受信し、試合終了後に前記試合結果情報を登録する請求項１１記載のサイトサーバ。
【請求項１３】
スポーツ試合の試合経過情報を入力し携帯型無線端末からなる審判端末と、この審判端末を接続し制御するサイトサーバとを有するシステムのスポーツ試合開催支援方法において、
前記審判端末は、試合中の前記試合経過情報により試合結果情報を作成更新し前記サイトサーバに登録することを特徴とするスポーツ試合開催支援方法。
【請求項１４】
スポーツ試合の試合事前情報を入力すると共に、サイトサーバに接続して制御する主催端末を有し、審判端末が前記試合事前情報を受けて登録する請求項１３記載のスポーツ試合開催支援方法。
【請求項１５】
主催端末は、サイトサーバにアクセスし、このサイトサーバに開催する試合事前情報を登録し、前記サイトサーバからの試合結果情報を集計し、
審判端末は、前記サイトサーバから前記試合事前情報を受けて登録し、試合中にこの試合経過情報を入力し、この入力情報により試合結果情報を作成更新し、試合終了後に試合結果情報を前記サイトサーバに登録し、
前記サイトサーバは、前記主催者端末の入力に基づき、前記審判端末に試合事前情報を送信し、前記審判端末から前記試合結果情報を受信し、前記主催者端末に送信し、
前記主催者端末は 、前記サイトサーバからの試合結果情報を集計する請求項１４記載のスポーツ試合開催支援方法。
【請求項１６】
複数の審判端末を用いる場合に、前記各審判端末が前記各審判端末間通信を行う請求項１４または１５記載のスポーツ試合開催支援方法。
【請求項１７】
スポーツ試合の試合経過情報を入力する審判端末と、前記審判端末に接続される会場端末と、これら各端末を接続し制御するサイトサーバとを有するスポーツ試合開催支援システムにおいて、
前記審判端末は、携帯型無線端末からなり、試合中の前記試合経過情報により試合結果情報を作成更新し前記会場端末に送信することを特徴とするスポーツ試合開催支援システム。
【請求項１８】
試合事前情報を入力すると共に、サイトサーバに接続して制御する主催端末を有し、審判端末が前記試合事前情報を受けて登録する請求項１７記載のスポーツ試合開催支援システム。
【請求項１９】
主催端末は、サイトサーバにアクセスし、開催する試合事前情報を登録すると共に、前記サイトサーバからの試合結果情報を集計し、
会場端末は、前記サイトサーバから前記試合事前情報を受けて、審判端末へ前記試合事前情報を送信し、試合中に前記審判端末からの入力情報により試合結果を作成更新し、試合終了後に試合結果情報を前記サイトサーバに登録し、
前記サイトサーバは、前記主催者端末の入力に基づき、各会場端末に試合事前情報を送信し、前記会場端末より試合結果情報を受信し、
前記審判端末は、前記会場端末に試合結果情報を前記サイトサーバに送信する請求項１８記載のスポーツ試合開催支援システム。
【請求項２０】
複数の審判端末を用いた場合に、前記各審判端末が前記各審判端末間通信を可能とした請求項１７，１８または１９記載のスポーツ試合開催支援システム。
【請求項２１】
複数の審判端末を用いた場合に、これら審判端末に会場端末機能を持たせ、会場端末を省いた請求項１７，１８，１９または２０記載のスポーツ試合開催支援システム。
【請求項２２】
試合事前情報が、「開催日時」「試合数」「対戦チーム」「担当審判」「選手名」などを含む試合前に決められた初期情報である請求項１，２，３，４，５，１７，１８，１９、２０または２１記載のスポーツ試合開催支援システム。
【請求項２３】
試合結果情報が、「得点」「違反」「交代」などを含む試合経過、試合結果の情報である請求項１，２，３，４，５，１７，１８，１９、２０または２１記載のスポーツ試合開催支援システム。
【請求項２４】
審判端末として携帯電話を用いた請求項１，２，３，４，５または請求項１７乃至２３のうちの１項に記載のスポーツ試合開催支援システム。
【請求項２５】
スポーツ試合の試合経過情報を入力すると共に、会場端末と無線接続された携帯型端末からなり、前記会場端末に前記試合経過情報を伝送することを特徴とする審判端末。
【請求項２６】
会場端末から試合事前情報を受けて登録し、試合中にこの試合経過情報を入力すると共に、この入力情報から試合結果情報を作成更新し、試合終了後に試合結果情報を前記会場端末に登録する請求項２５記載の審判端末。
【請求項２７】
前記無線接続が、無線ＬＡＮ網または携帯電話網を用いる請求項２５または２６記載の審判端末。
【請求項２８】
端末として携帯電話を用いた請求項６，７，８，２５，２６または２７記載の審判端末。
【請求項２９】
スポーツ試合の試合情報を入力または伝送する端末からなり、審判端末およびサイトサーバに接続され、これらサイトサーバと審判端末との間の情報伝送を行うことを特徴とする会場端末。
【請求項３０】
情報伝送が、サイトサーバから試合事前情報を受けて、審判端末へ前記試合事前情報を送信し、試合中に前記審判端末からの入力情報により試合結果情報を作成更新し、試合終了後に試合結果情報を前記サイトサーバに登録する請求項２９記載の会場端末。
【請求項３１】
スポーツ試合の試合情報を転送し記憶するサーバからなり、主催端末および審判端末または会場端末と接続され、これら端末間のデータ蓄積およびデータ伝送を行うことを特徴とするサイトサーバ。
【請求項３２】
データ伝送が、主催者端末の入力に基づき、各会場端末に試合情報を送信し、前記会場端末より試合結果情報を受信し、試合終了後に前記試合結果情報を登録する請求項３１記載のサイトサーバ。
【請求項３３】
スポーツ試合の試合経過情報を入力し携帯型無線端末からなる審判端末と、前記審判端末に接続される会場端末と、これら各端末を接続し制御するサイトサーバとを有するシステムのスポーツ試合開催支援方法において、
前記審判端末は、試合中の前記試合経過情報により試合結果情報を作成更新し前記会場端末に送信することを特徴とするスポーツ試合開催支援方法。
【請求項３４】
試合事前情報を入力すると共に、サイトサーバに接続して制御する主催端末を有し、審判端末が前記試合事前情報を受けて登録する請求項３３記載のスポーツ試合開催支援方法。
【請求項３５】
主催端末は、サイトサーバにアクセスし、開催する試合事前情報を前記サイトサーバに登録し、
会場端末は、前記サイトサーバから前記試合事前情報を受けて、審判端末へ前記試合事前情報を送信し、試合中に前記審判端末からの入力情報により試合結果情報を作成更新し、試合終了後にその試合結果情報を前記サイトサーバに登録し、
前記サイトサーバは、前記主催者端末の入力に基づき、各会場端末に試合情報を送信し、前記会場端末より試合結果情報を受信し、
前記審判端末は、前記会場端末に試合結果情報を前記サイトサーバに送信し、
前記主催端末により、前記試合結果情報を集計する請求項３４記載のスポーツ試合開催支援方法。
【請求項３６】
複数の審判端末を用いた場合に、前記各審判端末がこれら各審判端末間通信を行う請求項３３，３４または３５記載のスポーツ試合開催支援方法。
【請求項３７】
複数の審判端末を用いた場合に、これら審判端末のうちの１台が会場端末機能を有することにより、会場端末を省いた請求項３３，３４，３５または３６記載のスポーツ試合開催支援方法。
【請求項３８】
審判端末として携帯電話を用いる請求項１３、１４，１５，１６または請求項３３乃至３７のうちの１項に記載のスポーツ試合開催支援方法。
【発明の詳細な説明】
【技術分野】
【０００１】
本発明は、スポーツ試合開催支援システム、このシステムに用いられる各種端末、サーバおよびそのスポーツ試合開催支援方法に関し、特に簡易に入力できるようにしたスポーツ試合開催支援システムおよびそのスポーツ試合開催支援方法に関する。
【背景技術】
【０００２】
現在、市町村やクラブチーム主催の各種スポーツ競技の試合開催などにおいて、試合結果の集計や管理は、試合結果を記録した審判などの記録用紙（紙）にて集計する等、時間と手間がかかる。また試合会場によっては、インターネットなどの設備もない場合や屋外で行われる競技など環境面から集計・管理の為の電子データ化は後日時間と手間をかけて行っている。
【０００３】
そこで、  インターネットを利用した競技者の登録・競技運営の管理システムが、特許文献１に記載されている。また、特許文献２では、移動競技ナビゲーション装置と管理センタ装置が記載されている。しかし、これらは、いずれも固定装置を利用したシステムであり、例えば、競技中に移動する審判員などから競技データの入力をする事は出来ない。すなわち、この審判員などから競技データの入力ができれば、審判結果を直接入力できるので、競技経過や結果を、直ちに集計することができるが、特許文献１，２では、移動する者がデータ入力する事はできない。また、特許文献３には、スポーツ試合実時間経過記録システムが示されている。このシステムは、各サッカー場の試合経過記録を携帯電話を用いてセンターサーバに伝送し集計しているが、このシステムも携帯電話を伝送手段に用いただけで、移動する審判員などからデータを入力することはできない。
【０００４】
一方、特許文献４には、審判がデータの入力者となる（移動）ボールゲームのための審判判定支援システムが示されている。 図７はこの審判判定支援システムを説明するブロック図であり、図８は図７のレフェリー・モジュールの構成を示す正面図である。図７では、審判判定支援システムを構成する要素間の接続を示している。このシステムは、中央コンピュータ２ａ、管理ターミナル３ａ、レフェリー・モジュール（審判端末）５ｂ、補助ジャッジ送信機５ｃから構成される。レフェリー・モジュール５ｂは、通信セット（受信機／再送信機）を搭載し、補助ジャッジの送信機５ｃからくる無線伝送を受信し、かつ、管理ターミナル３ａにレポートを送信する。管理ターミナル３ａは、中央コンピュータ２ａに接続されている。
【０００５】
通常の状態で、管理ターミナル３ａは、コンピュータ手段３０と入力手段３１と表示手段３２とプリンタ手段３３を備えている。また、この管理ターミナル３ａは、送信機／受信機手段３４と秘密データ入力手段３５と遠隔表示手段３６（照明３７を有する）も含んでいる。
表示手段３２は、入力機能も実行でき、この表示手段３２は接触感知スクリーンの形態がある。この表示手段のそばに位置するターミナル３ａは、無線中継を介して、レフェリー・モジュール５ｂと通信する。このレフェリー・モジュール５ｂは、試合を担当するレフェリー（審判）が保持し、試合経過を入力する。このレフェリー・モジュール５ｂは、試合場の補助ジャッジ送信機５ｃを持つレフェリーの各支援者（補助ジャッジ）と無線により接続される。この補助ジャッジ送信機５ｃにより、各補助ジャッジはレフェリーの注意を促したり連絡できるようにしている。
【０００６】
このシステムにより、レフェリーは、レフェリー・モジュール５ｂの入力手段から試合経過を入力できるので、レフェリーが、ゲームの種々の段階を記入し、また試合中に発生する事件を記録することができる。この情報は、管理ターミナル３ａに瞬時に送られるので、その情報を処理する、すなわち、その情報を分類し、要約して解釈し、試合後の使用を容易にできる。その上、一部の情報は、試合に参加した人々に通知するように、遠隔表示手段などで表示できる。
従って、例えば、サッカーに使用する時に、レフェリーは、ゴール、ファール、違反、なども、管理ターミナル３ａにレフェリー・モジュール５ｂを介して送信する。送信された情報は、例えば、誰でも見ることができる大型照明３７のセットから構成される遠隔表示手段３６に表示することができる。
この管理ターミナル３ａに送られた情報は、プリンタ手段３３により印刷され、また、任意の電話通信手段により中央コンピュータ２ａに送られる前に、レフェリーが確認することも出来る。中央コンピュータ２ａは、他の試合会場で使用できるターミナルにも接続されており、データの全てと照合するように作動するので、他の地区や地域で最新の状態で記録できる。
図８はレフェリー・モジュール５ｂの一例を示す正面図である。レフェリー・モジュール５ｂは、送信機／受信機セット５１を装着し、且つキーまたは幾つかのセットの指示計手段を其の前面に具備するハウジング５０を搭載する。第１セットのキー５２は種々の選手の役割（例えば、サッカーの関係では、訪問チームのスィーパなど）を入力する英数字である。第２セットのキー５３は問題のゲームのパラメーターの特長（例えば、ラグビーの場合、「ドロップ・ゴール」を、別のものは「トライ」をなどを意味する）を入力するための記号キーである。第３セットのキー５４は、例えば、プレーを開始し且つ中止する指令またはデータ入力を実際に確認する指令を含めた、ファンクション・キーである。第１シリーズの指示計手段５５は、発光液晶表示であり、実行された動作を監視し、且つ入力または送信エラーを表示するように作動する。第２シリーズの指示計手段５６は、補助ジャッジ送信機２が送信中であることをレフェリーに警告したり、データがレフェリーの送信機と管理手段の間で転送されることを指示している。
【０００７】
このレフェリー・モジュール５ｂにより、審判員が、試合経過、試合結果データを直接入力できるので、効率的にスポーツ試合のデータ集計が出来る。
【０００８】
【特許文献１】特開２００２−２１５８３８号
【特許文献２】特開２０００−３００７１１号
【特許文献３】特開２００２−２６８８０６号
【特許文献４】特表平０８−５０１４６３号
【発明の開示】
【発明が解決しようとする課題】
【０００９】
上述した従来技術の特許文献１〜３では、サッカーのような試合の進行を妨げずタイムリーに任意に発生する事象（試合経緯）を記録することが出来、また複数のコート・グランドで開催される場合の多い競技では、開催者が同時進行する全ての試合を記録することも出来るかもしれない。しかし、特許文献１〜３では、試合を開催する会場が屋外であり、インターネットを利用したシステムの利用は容易にできない。特に、競技中に移動する審判員などから競技データの入力をする事は出来ない。
【００１０】
また、上述した従来技術の特許文献４では、審判が専用のデータの入力装置を持ってデータを入力する事が出来るので、移動しながらデータの入力をすることが出来る。しかし、審判用の専用のデータの入力装置やその補助ジャッジ装置が必要となるため、多くのハードウェアを必要とし、またシステム構成が複雑になるという問題がある。
【００１１】
本発明の目的は、審判端末として携帯型無線端末を利用する事により、任意に発生する試合経過事象を簡易に入力出来ると共に、瞬時に試合結果情報を集計出来るようにしたスポーツ試合開催支援システム、端末装置およびそのスポーツ試合開催支援方法を提供することにある。
【課題を解決するための手段】
【００１２】
本発明の構成は、スポーツ試合の試合経過情報を入力する審判端末と、この審判端末を接続し制御するサイトサーバとを有するスポーツ試合開催支援システムにおいて、前記審判端末は、携帯型無線端末からなり、試合中の前記試合経過情報により試合結果情報を作成更新し前記サイトサーバに登録することを特徴とする。
【００１３】
本発明において、スポーツ試合の試合事前情報を入力すると共に、サイトサーバに接続して制御する主催端末を有し、審判端末が前記試合事前情報を受けて登録することができ、また、主催端末は、サイトサーバにアクセスし、このサイトサーバに開催する試合事前情報を登録すると共に、前記サイトサーバからの試合結果情報を集計し、審判端末は、前記サイトサーバから前記試合事前情報を受けて登録し、試合中にこの試合経過情報を入力し、この入力情報により試合結果情報を作成更新し、試合終了後に試合結果情報を前記サイトサーバに登録し、前記サイトサーバは、前記主催者端末の入力に基づき、前記審判端末に試合情報を送信し、前記審判端末から前記試合結果情報を受信し、前記主催者端末に送信することができる。また、複数の審判端末を用いる場合に、前記各審判端末が前記各審判端末間通信を行うことができ、また、複数の審判端末を用いる場合に、これら審判端末のうちの１台が、サイトサーバとの間の共通通信を行うと共に、他の審判端末との共通端末機能を有することができる。
【００１４】
本発明の他の構成は、スポーツ試合の試合経過情報を入力する審判端末と、前記審判端末に接続される会場端末と、これら各端末を接続し制御するサイトサーバとを有するスポーツ試合開催支援システムにおいて、前記審判端末は、携帯型無線端末からなり、試合中の前記試合経過情報により試合結果情報を作成更新し前記会場端末に送信することを特徴とする。
【００１５】
本発明において、スポーツ試合の試合事前情報を入力すると共に、サイトサーバに接続して制御する主催端末を有し、審判端末が前記試合事前情報を受けて登録することができ、また、主催端末は、サイトサーバにアクセスし、開催する試合事前情報を登録すると共に、前記サイトサーバからの試合結果情報を集計し、会場端末は、前記サイトサーバから前記試合事前情報を受けて、審判端末へ前記試合事前情報を送信し、試合中に前記審判端末からの入力情報により試合結果情報を作成更新し、試合終了後に試合結果情報を前記サイトサーバに登録し、前記サイトサーバは、前記主催者端末の入力に基づき、各会場端末に試合情報を送信し、前記会場端末より試合結果を受信し、前記審判端末は、前記会場端末に試合結果情報を前記サイトサーバに送信することができる。
【００１６】
また、試合事前情報が、「開催日時」「試合数」「対戦チーム」「担当審判」「選手名」などを含む試合前に決められた初期情報であり、また、試合結果情報が、「得点」「違反」「交代」などを含む試合経過、試合結果の情報であり、また、審判端末として携帯電話を用いることができる。
【００１７】
本発明の審判端末の構成は、ポーツ試合の試合経過情報を入力する無線接続された携帯型端末からなり、サイトサーバに前記試合経過情報を伝送することを特徴とする。
【００１８】
本発明において、サイトサーバから試合事前情報を受けて登録し、試合中にこの試合経過を入力すると共に、この入力情報から試合結果情報を作成更新し、試合終了後に試合結果情報を前記サイトサーバに登録することができる。
【００１９】
本発明の他の審判端末の構成は、スポーツ試合の試合経過情報を入力する無線接続された携帯型端末からなり、会場端末に前記試合経過情報を伝送することを特徴とする。
【００２０】
本発明において、会場端末から試合事前情報を受けて登録し、試合中にこの試合経過を入力すると共に、この入力情報から試合結果情報を作成更新し、試合終了後に試合結果情報を前記会場端末に登録することができ、また、無線接続が無線ＬＡＮ網または携帯電話網によることができ、また、端末として携帯電話を用いることができる。
【００２１】
本発明の主催端末の構成は、開催するスポーツ試合の試合事前情報を入力する端末からなり、審判端末と接続したサイトサーバに接続され、前記サイトサーバに前記試合事前情報を登録することを特徴とする。
【００２２】
本発明において、サイトサーバにアクセスし、前記試合事前情報を入力して登録し、この入力に基づき、各試合会場の端末に試合情報を送信し、かつ前記サイトサーバの試合結果情報を集計することができる。
【００２３】
本発明のサイトサーバの構成は、スポーツ試合の試合情報を転送し記憶するサーバからなり、主催端末および審判端末に接続され、これら端末間のデータ蓄積およびデータ伝送を行うことを特徴とする。
【００２４】
本発明において、データ伝送が、主催者端末からの入力に基づき、各審判端末に試合事前情報を送信し、前記審判端末より試合結果情報を受信し、試合終了後に前記試合結果情報を登録することができる。
【００２５】
本発明の他のサイトサーバの構成は、スポーツ試合の試合情報を転送し記憶するサーバからなり、主催端末および審判端末または会場端末と接続され、これら端末間のデータ蓄積およびデータ伝送を行うことを特徴とする。
【００２６】
本発明において、データ伝送が、主催者端末の入力に基づき、各会場端末に試合事前情報を送信し、前記会場端末より試合結果情報を受信し、試合終了後に前記試合結果情報を登録することができる。
【００２７】
本発明の会場端末の構成は、スポーツ試合の試合情報を入力または伝送する端末からなり、審判端末およびサイトサーバに接続され、これらサイトサーバと審判端末との間の情報伝送を行うことを特徴とする。
本発明において、情報伝送が、サイトサーバから試合事前情報を受けて、審判端末へ前記試合事前情報を送信し、試合中に前記審判端末からの入力情報により試合結果情報を作成更新し、試合終了後に試合結果情報を前記サイトサーバに登録することができる。
【００２８】
本発明の構成は、スポーツ試合の試合経過情報を入力し携帯型無線端末からなる審判端末と、この審判端末を接続し制御するサイトサーバとを有するシステムのスポーツ試合開催支援方法において、前記審判端末は、試合中の前記試合経過情報により試合結果情報を作成更新し前記サイトサーバに登録することを特徴とする。
【００２９】
本発明の他の構成は、スポーツ試合の試合経過情報を入力し携帯型無線端末からなる審判端末と、前記審判端末に接続される会場端末と、これら各端末を接続し制御するサイトサーバとを有するシステムのスポーツ試合開催支援方法において、前記審判端末は、試合中の前記試合経過情報により試合結果情報を作成更新し前記会場端末に送信することを特徴とする。
本発明において、スポーツ試合の試合事前情報を入力すると共に、サイトサーバに接続して制御する主催端末を有し、審判端末が前記試合事前情報を受けて登録することができ、また、主催端末は、サイトサーバにアクセスし、開催する試合事前情報を前記サイトサーバに登録し、会場端末は、前記サイトサーバから前記試合事前情報を受けて、審判端末へ前記試合事前情報を送信し、試合中に前記審判端末からの入力情報により試合結果情報を作成更新し、試合終了後に試合結果情報を前記サイトサーバに登録し、前記サイトサーバは、前記主催者端末の入力に基づき、各会場端末に試合情報を送信し、前記会場端末より試合結果情報を受信し、前記審判端末は、前記会場端末に試合結果情報を前記サイトサーバに送信し、前記主催端末により、前記試合結果を情報集計することができ、また、複数の審判端末を用いた場合に、前記各審判端末がこれら各審判端末間通信を行うことができ、また、複数の審判端末を用いた場合に、これら審判端末のうちの１台が会場端末機能を有することにより、会場端末を省くことができ、また、審判端末として携帯電話を用いることができる。
【発明の効果】
【００３０】
以上説明したように、本発明によれば、携帯型無線端末からなる審判端末を利用する事により、簡単なシステムを構成できると共に、審判員が任意に発生する試合経過事象を直接入力できるので、専用のデータ入力者が不要となり、データ入力を簡易化出来るという効果が得られる。
【発明を実施するための最良の形態】
【００３１】
次に図面により本発明の実施形態を説明する。図１は本発明の一実施形態のスポーツ試合開催支援システムを説明するブロック図である。本実施形態のスポーツ試合開催支援システムとは、各種スポーツ協会主催の全国および都道府県の大規模な試合開催からクラブチーム主催等の小規模な試合開催を支援するシステムである。インターネット利用して事前登録した「主催者」と「開催者」が、以下の試合経過および試合結果情報をサイト上で伝達・閲覧を行うことができる。
【００３２】
本実施形態は、図１に示すように、サイトサーバ１と、主催端末２と、Ａ会場にある会場端末３および審判端末５と、Ｂ会場の会場端末４および審判端末６とにより構成される。サイトサーバ１と主催端末２および会場端末４はインターネット網１０を介して接続され、Ａ会場の会場端末３と審判端末５およびＢ会場の会場端末４と審判端末６は無線ＬＡＮ網１１を介して接続されている。
【００３３】
主催端末２は、サイトサーバ１にアクセスし、サイトサーバ１の指示に従い、開催する試合事前情報を登録する機能と、サイトサーバ１に通知された審判端末５，６からの試合結果をダウンロードして表示する機能を有する。
【００３４】
会場端末３，４は、サイトサーバ１にアクセスし、サイトサーバ１の指示に従い、ＩＤ（識別）番号・パスワードを送信する機能を有する。さらに、開催と担当する試合番号を入力し試合事前情報をダウンロードする機能と、審判端末５，６へ試合事前情報を送信する機能と、試合中に審判端末５，６からの入力情報により試合結果を作成更新する機能と，試合終了後に試合結果をサイトサーバ１にアップロードする機能とを有する。
【００３５】
サイトサーバ１は、会場端末３，４からのアクセスに対し、ＩＤ番号・パスワードによる認証を行い、認証終了後に登録済の試合事前情報検索等の機能を有する。さらに、トップページを会場端末３，４に表示させる。その後、会場端末３，４よりアップロードされる試合結果を主催端末２に提供する機能を有する。
【００３６】
サイトサーバ１より、本実施形態専用の試合結果入力ソフトウェアをダウンロードすることができ、会場端末３，４と審判端末５，６の相互通信による試合結果の作成が，図２，図３のフローに示す様にスムーズに行われるように工夫されている。
【００３７】
審判端末５または６は、試合事前情報の送信元である会場端末３または４に「試合開始」「試合経過」「試合終了」等を本実施形態専用の試合結果入力ソフトウェアにて定められた簡易入力方法にて試合結果送信する機能を有する。
【００３８】
本実施形態では、インターネット利用して事前登録した「主催者」と「開催者」が、試合経過および試合結果情報をサイト上で伝達・閲覧を行うことができる。また、無線ＬＡＮ端末等のモバイル端末を利用することにより多様な試合会場環境への対応ができる。
【００３９】
また、各種スポーツ競技に対応した試合結果入力ソフトウェアを使用することにより、入力を簡易にし、また試合の進行を妨げずタイムリーに任意に発生する事象（試合の経緯）を記録することができる。
【００４０】
また、主催者および開催者を登録制とするので、情報入力フォーマットを統一でき、必要な情報を不足無く一元管理し、試合結果の電子データ化で統一され、その後のデータ整理・活用を容易とすることが可能となる。
【実施例１】
【００４１】
本発明の第１の実施例の構成は図１と同様である。図２及び図３のフローチャートを参照して本実施例の動作について説明する。図２は、ステップＳ１からステップＳ１２までの、サイトサーバ１、主催端末２、会場端末３，４の間の処理を説明している。
【００４２】
まず、事前にメンバー登録した開催者は、会場端末３，４よりインターネット網１０内のサイトサーバ１上のホームページにアクセスする（図２のＳ１）。これに呼応してサイトサーバ１は会場端末３，４にＩＤ・パスワードによる個人認証要求画面を表示させる（図２のＳ２）。開催者はＩＤ・パスワードを入力する（図２のＳ３）。
【００４３】
サイトサーバ１は、ステップＳ４で、ＩＤ・パスワードが正しいかどうか確認する（図２のＳ４）。このＩＤ・パスワードが正しければ、トップページ（試合検索画面等）を会場端末３，４に送信し、その画面上に表示させる（図２のＳ５）。なお、会場端末４より入力されたＩＤ・パスワードが正しくなければ、再度ステップＳ２に戻り、個人認証要求画面を表示させる（図２のＳ２）。
【００４４】
なお、表示される試合は、主催者が、主催端末２により、予め主催する試合事前情報と担当する会場端末（Ａ，Ｂ）のＩＤ番号を作成し（図２のＳ６）、試合事前情報としてサイトサーバ１に登録しておく（図２のＳ７）。
【００４５】
この認証終了後、開催者は、会場端末３，４で開催する試合番号を入力する（図２のＳ８）。そして、サイトサーバ１が該当する試合番号の試合事前情報を検索し（図２のＳ９）、その試合事前情報を送信すると（図２のＳ１０）、会場端末３，４がその試合事前情報を選択する（図２のＳ１１）。そして会場端末３，４において、試合結果入力ソフトウェアを立ち上げる（図２のＳ１２）。
【００４６】
次に、図３は、このシステムの処理フローのステップＳ１３からステップＳ２４までの、サイトサーバ１、主催端末２、会場端末３，４、審判端末５，６の間の処理を説明している。会場端末３，４において、試合結果入力ソフトウェアを立ち上げた後（図２のＳ１２）、試合と会場端末３，４が担当する審判端末５，６へ担当する試合事前情報を送信する（図３のＳ１３）。
【００４７】
審判端末５，６と会場端末３，４での試合結果入力操作方法の一例を、図４の表示図に示す。この表示図は、図４に示すように、会場端末３，４の表示部での表示が、チーム名｛Ａ，Ｂ｝とその前半、後半の得点と、｛イエロー、レッド｝の違反件数、各チーム｛Ａ，Ｂ｝の交代者名などを、キーボードなどから入力し表示出来るようにしている。また、審判端末５，６の表示部での表示が、上記会場端末３，４からの表示と共に、試合経過入力の表示として、キーボードなどから数字入力を直接表示出来るようにしている。
【００４８】
図５はこの数字入力の一例の構成を説明する図である。ここでは、５桁の数字をコードとして入力する場合である。最初の２桁は発生事象、次の３桁目にはチーム名、そして４，５桁目には選手名（背番号）を示している。例えば、発生事象として、「００」を試合開始、「９９」を試合終了、「１０」を得点、「２０」を違反（２１をイエロー、２２をレッド）、「３０」を交代（３１をＩＮ、３２をＯＵＴ）などと予め決めておく。また、３桁目のチーム名には、「０」をＡチーム、「１」をＢチームとし、４，５桁目には背番号をそのまま入力することにより、簡単な入力方法とすることが出来る。この場合、試合開始「００」、試合終了「９９」は発生事象だけでよいので、２桁で済むことになる。
処理フローの説明に戻ると、審判端末５，６は、試合結果初期値の表示例２１を受信後（図３のＳ１４）、一定規則で数値化された入力方法（図４の表示例２２）により、試合開始（ここでは００）を入力し、会場端末３，４へ送信する（図３のＳ１５）。この入力方法は、試合経過入力欄に、数値化された試合経過情報を入力して送信する。例えば、試合開始を「００」、試合終了を「９９」、Ａチームを「１」、Ｂチームを「２」とし、Ａチーム９番が得点した場合「１０１０９」、Ｂチーム１１番が得点した場合「１０２１１」のように入力する。
【００４９】
以降、審判端末５，６は、試合経過を順次入力し（図４の表示例２２）、送信する（図３のＳ１７）。会場端末３，４は、受信した試合経過により、試合結果情報を更新し（図４の表示例２３）、逐次審判端末５，６へ送信する（図３のＳ１６，Ｓ１８）。試合終了時、審判端末５．６は試合終了「９９」を入力し（図４の表示例２４）、会場端末３，４へ送信する（図３のＳ１９）。
【００５０】
会場端末３，４では、審判端末５，６からの試合終了を受信後、試合結果情報の作成を完了しデータを保存する（図３のＳ２０：図４の表示例２５）。 会場端末３，４では、次の試合の有無を確認し（図３のＳ２１）、次の試合がある場合には当該試合の担当端末に、試合結果初期値を送信する（図３のＳ１３）。
【００５１】
開催を担当する試合が全て終了した際、開催者は会場端末３，４よりサイトサ−バ１へ開催した試合結果を集計し登録する（図３のＳ２２：図４の表示例２５）。サイトサーバ１では、開催者より会場端末３，４にて送信された試合結果情報をまとめ、主催端末２に送信する（図３のＳ２３）。主催端末２は、試合結果を集計し、分析する（図３のＳ２４）。
【００５２】
なお、審判端末５，６は、基本的には審判員が入力することを想定しているが、競技によっては他の担当者（大会本部の人など）が代行することも可能である。
【００５３】
以上の説明の通り、本実施例によれば、試合経過の逐次記録や複数会場の記録は、各種競技に対応した試合結果入力ソフトウェアを使用することにより、試合中に起こり得る事象を予め数値化することで入力を簡易にすることができる。
【００５４】
複数会場での試合を主催する主催者は、各会場からの情報を統一フォーマットの電子データにて集計できるため、主催した試合および大会の結果集計作業が容易になる。また電子データで有るため多様な項目の結果集計（得点者ランキング・違反者リスト・審判実績）も容易となる。また、無線ＬＡＮ網・携帯電話網などの使用により、会場設備が伴わない小学校のグランドの使用など開催場所に左右されることがない。
【実施例２】
【００５５】
図６は本発明の第２の実施例を説明するブロック図である。本実施例は、図１における会場端末３，４の機能を審判端末５ａ，６ａに持たせたものであり、図１の会場端末３，４を省略している。本実施例は、審判端末５ａ，６ａが携帯電話網１１ａを介してサイトサーバ１に直接接続されている。本実施例では、審判端末５ａ，６ａが予め会場端末の機能を果たしてから、入力支援ソフトにより審判専用端末として試合場に持ち込まれ、審判端末として操作されることになる。
【００５６】
この審判端末５ａ，６ａの入力は、携帯電話やＰＤＡの端末の場合、試合前に専用サイトを入力し、試合中は入力支援ソフトによりコード化された数字を入力し、送信を繰り返すことになる。
【００５７】
この実施例において、審判端末５ａ，６ａは、次のように機能する。なお、端末に表示される試合は、主催者が、主催端末２により、予め主催する試合事前情報と担当する審判端末（Ａ，Ｂ）のＩＤ番号を作成し、試合事前情報としてサイトサーバ１に登録しておく。
【００５８】
１）まず、事前にメンバー登録した開催者は、審判端末５ａ，６ａよりインターネット網１０内のサイトサーバ１上のホームページにアクセスする。これに呼応してサイトサーバ１は審判端末５ａ，６ａにＩＤ・パスワードによる個人認証要求画面を表示させる。開催者はＩＤ・パスワードを入力する。
【００５９】
２）サイトサーバ１は、ＩＤ・パスワードが正しいかどうか確認し、このＩＤ・パスワードが正しければ、トップページ（試合検索画面等）を審判端末５ａ，６ａに送信し、その画面上に表示させる。
【００６０】
３）この認証終了後、開催者は、審判端末５ａ，６ａで開催する試合番号を入力する。そして、サイトサーバ１が該当する試合番号の試合事前情報を検索し、その試合事前情報を送信すると、審判端末５ａ，６ａがその試合事前情報を選択する。そして審判端末５ａ，６ａにおいて、試合結果入力ソフトウェアを立ち上げ、試合結果初期値を入力する。この状態で、審判員は試合場に審判端末５ａ，６ａを持ち込む。
【００６１】
４）審判端末５ａ，６ａは、試合結果初期値２１を入力後、図４の場合と同様に、一定規則で数値化された入力方法により、試合開始を入力する。この入力方法は、試合経過入力欄に、数値化された試合経過情報を入力してサイトサーバ１に送信する。
【００６２】
５）サイトサーバ１では、審判端末５ａ，６ａからの試合終了を受信後、試合結果情報の作成を完了しデータを保存する。 審判端末５ａ，６ａは、次の試合の有無を確認し、次の試合がある場合には当該試合の担当端末に、試合結果初期値を送信する。
【００６３】
６）開催を担当する試合が全て終了した際、開催者は審判端末５ａ，６ａよりサイトサ−バ１へ開催した試合結果を集計し登録する。
【００６４】
７）サイトサーバ１では、開催者より審判端末５ａ，６ａから送信された試合結果情報をまとめ、主催端末２に送信する。主催端末２は、試合結果を集計し、分析する。
【００６５】
本実施例の場合、会場端末が不要となり、ハードウェアが簡単化されるが、審判用端末の役割が多くなるので、審判用端末の操作担当者は確実に必要な役割を実施する必要がある。この場合には、審判員の負担軽減のために、審判用端末の操作を、審判員以外の審判用入力操作者が操作することもできる。
【実施例３】
【００６６】
実施例１では、審判端末５，６の試合経過入力は、５桁の数字でコード化した例としているが、対象事象を簡単化すれば、４桁でも可能となる。例えば、得点した場合の発生事象のコードを「１」のみとすれば４桁にすることが出来る。
上記実施例では、サッカーの場合を説明したが、コードの桁数やコード化の方式は、適用するスポーツ種目により異なる。そのコード化方式は、試合結果入力支援ソフトウェアの種類分けにより、サイトサーバ１よってスポーツ種目別にダウンロードすることが適切である。
【００６７】
この審判端末５，６の入力は、携帯電話やＰＤＡの端末の場合、試合前に専用サイトを入力し、試合中はコード化された数字を入力し、送信を繰り返すことになる。その作業性は、従来の試合シートに手書きで各情報を記入することに比較して、負担にならない上に、手書きの紙の情報を後で転記したりする手間を考えれば、コード入力のみで試合結果情報が整理され配信されるので、格段に楽になる。
【図面の簡単な説明】
【００６８】
【図１】本発明の第１の実施形態を説明するスポーツ試合開催支援システムのブロック図である。
【図２】図１の処理を説明するフロー図である。
【図３】図２に続く図１の処理を説明するフロー図である。
【図４】図１の各端末の表示の一例を説明する表示図である。
【図５】図４の表示の一例を説明する構成図である。
【図６】本発明の第２の実施例を説明するシステムのブロック図である。
【図７】従来例のスポーツ審判判定支援システムを説明するブロック図である。
【図８】図７の審判モジュール５ｂを説明する正面図である。
【符号の説明】
【００６９】
１    サイトサーバ
２    主催端末
２ａ    中央コンピュータ
３，４    会場端末
３ａ    管理ターミナル（端末）
５，５ａ，６，６ａ    審判端末
５ｂ    レフェリー（審判）モジュール
５ｃ    補助ジャッジ送信機
１０    インターネット網
１１    無線ＬＡＮ網
１１ａ    携帯電話網
２１〜２５    表示例
３０    コンピュータ手段
３１    入力手段
３２    表示手段
３３    プリンタ手段
３４    送信機／受信機手段
３５    秘密データ入力手段
３６    遠隔表示手段
【図１】
2007034478.tif 000003
【図２】
2007034478.tif 000004
【図３】
2007034478.tif 000005
【図４】
2007034478.tif 000006
【図５】
2007034478.tif 000007
【図６】
2007034478.tif 000008
【図７】
2007034478.tif 000009
【図８】
2007034478.tif 000010